(57)【要約】【課題】  融雪のための熱線を有するものであって、構造が簡素で施工性が良好な太陽電池装置を提供する。【解決手段】  フレームと、熱線と、押圧材と、端部キャップを備え、フレームは、平板部と、枠部を有しており、平板部の表面に太陽電池パネルを載置し、裏面に熱線を設けてあり、枠部は、壁部と、鍔部を有しており、壁部は、平板部の裏面側に立設するものであって、対向するように少なくとも一組設けてあり、鍔部は、壁部から、対向する壁部側に向けて延出するものであり、熱線は、対向する壁部の間に配置してあり、熱線に交差して押圧材を設けてあり、押圧材の端部に端部キャップを取り付けてあって、端部キャップを平板部と鍔部の間に嵌めて対向する壁部に突っ張らせて押圧材を固定してあり、押圧材と平板部の隙間が熱線の厚さより小さくしてあって、押圧材により熱線を固定してある。【選択図】      図１
2016067095.tif 000002
【特許請求の範囲】
【請求項１】
フレームと、熱線と、押圧材と、端部キャップを備え、フレームは、平板部と、枠部を有しており、平板部の表面に太陽電池パネルを載置し、裏面に熱線を設けてあり、枠部は、壁部と、鍔部を有しており、壁部は、平板部の裏面側に立設するものであって、対向するように少なくとも一組設けてあり、鍔部は、壁部から、対向する壁部側に向けて延出するものであり、熱線は、対向する壁部の間に配置してあり、熱線に交差して押圧材を設けてあり、押圧材の端部に端部キャップを取り付けてあって、端部キャップを平板部と鍔部の間に嵌めて対向する壁部に突っ張らせて押圧材を固定してあり、押圧材と平板部の隙間が熱線の厚さより小さくしてあって、押圧材により熱線を固定してあることを特徴とする太陽電池装置。
【発明の詳細な説明】
【技術分野】
【０００１】
本発明は、融雪のための機構を備える太陽電池装置に関する。
【背景技術】
【０００２】
地上や屋根上に設置される太陽電池装置においては、太陽光を受ける太陽電池パネルに雪が積もると、発電効率が大きく下がってしまう。そこで従来、雪を溶かすための機構を備えた太陽電池装置が用いられている。図７に示すのは、その一例であり、太陽電池パネルを載置するフレーム１０１の裏面に、熱線１０２を並べて配置したものであって、熱線１０２が発熱することで、表面に積もった雪を溶かす。熱線１０２は、略同じ長さの被覆材１０３により全体を覆い隠してあり、さらに取付金具１０４の内周側端部で被覆材１０３をフレーム１０１の裏面に押さえ付け、取付金具１０４の外周側端部をフレーム１０１にネジ止めすることで、熱線１０２を被覆材１０３ごと固定してある。
【発明の概要】
【発明が解決しようとする課題】
【０００３】
しかしながら、このような従来の太陽電池装置においては、一本の熱線に対して、一つの被覆材と二つの取付金具が必要であり、部品点数が多く、また、取付金具をネジ止めするために、フレームにネジ孔を設ける後加工が必要であり、施工に手間がかかるものであった。
【０００４】
本発明は、上記事情を鑑みたものであり、融雪のための熱線を有するものであって、構造が簡素で施工性が良好な太陽電池装置を提供することを目的とする。
【課題を解決するための手段】
【０００５】
本発明は、フレームと、熱線と、押圧材と、端部キャップを備え、フレームは、平板部と、枠部を有しており、平板部の表面に太陽電池パネルを載置し、裏面に熱線を設けてあり、枠部は、壁部と、鍔部を有しており、壁部は、平板部の裏面側に立設するものであって、対向するように少なくとも一組設けてあり、鍔部は、壁部から、対向する壁部側に向けて延出するものであり、熱線は、対向する壁部の間に配置してあり、熱線に交差して押圧材を設けてあり、押圧材の端部に端部キャップを取り付けてあって、端部キャップを平板部と鍔部の間に嵌めて対向する壁部に突っ張らせて押圧材を固定してあり、押圧材と平板部の隙間が熱線の厚さより小さくしてあって、押圧材により熱線を固定してあることを特徴とする。
【発明の効果】
【０００６】
本発明によれば、熱線を、交差する押圧材により固定するものであり、複数本の熱線を一度に押さえることが可能であるから、部品点数が少なくて済む。また、端部キャップを壁部に突っ張らせる構造なので、フレームに後加工を施す必要がなく、施工性がよい。
【図面の簡単な説明】
【０００７】
【図１】太陽電池装置の裏面の斜視図である。
【図２】押圧材及び端部キャップの斜視図である。
【図３】端部キャップの突っ張り部分の側面図である。
【図４】押圧材の固定方法の説明図である。
【図５】太陽電池装置の表面の斜視図である。
【図６】太陽電池装置の設置状態を示す説明図である。
【図７】従来の太陽電池装置における熱線の固定方法の説明図である。
【発明を実施するための形態】
【０００８】
以下、本発明の実施の形態を図面に基づいて説明する。図５に示すように、この太陽電池装置は、矩形のフレーム１の表面に、太陽電池パネル７を載置したものである。太陽電池パネル７による発電においては、できる限り多くの太陽光を受けることが重要であり、太陽電池パネル７に雪が積もると、発電効率が大きく下がってしまう。そこで、本発明の太陽電池装置においては、フレーム１の裏面に、熱線２を設けてあり、この熱線２に通電して発熱させることにより、フレーム１の表面に積もった雪を溶かす。
【０００９】
図１に示すように、フレーム１は、平板部５と、枠部６からなるものである。なお、以下において上下前後左右とは、図１に示す方向を表す（フレーム１を裏返した状態を基準とする）ものとする。平板部５は、矩形平板であり、この平板部５の表面に、太陽電池パネル７を載置してある。そして、枠部６は、壁部６１と鍔部６２からなる。壁部６１は、平板部５の裏側面に、平板部５に対して垂直に立設するものであって、平板部５の前後左右端に設けてあり、さらに前後方向中央に左右に延びる向きに設けてある。よって、前後の壁部６１と中央の壁部６１は互いに平行であって、前側の壁部６１と中央の壁部６１が対向し、後側の壁部６１と中央の壁部６１が対向する。また、鍔部６２は、各壁部６１の上端に設けるものであって、前後左右の壁部６１に設けた鍔部６２は、それぞれ内周側に向けて延出しており、中央の壁部６１に設けた鍔部６２は、前側と後側の両側に向けて延出している。よって、前側の壁部６１と中央の壁部６１において、それぞれの鍔部６２が対向する壁部６１側に向けて延出しており、後側の壁部６１と中央の壁部６１において、それぞれの鍔部６２が対向する壁部６１側に向けて延出している。
【００１０】
また、平板部５の裏面には、熱線２を設けてある。熱線２は、前後及び中央の壁部６１と平行な向きに並べてあって、前側と中央の壁部６１の間と、後側と中央の壁部６１の間に、それぞれ五本ずつ配置してある。それぞれ五本の熱線２の両端部を、補助線２１により連結してあり、さらに補助線２１に電源（図示省略）を接続してあって、熱線２に通電するようにしてある。
【００１１】
そして、熱線２の上側から、熱線２に交差して、前後方向に延びる押圧材３を設けてある。押圧材３は、アルミ形材からなるものであり、図２に示すように、断面略エ字形で、上側面３１と、下側面３２と、垂直面３３を有し、上側面３１の左右方向中央に、前後に延びる係合溝３４を形成してある。係合溝３４の左右壁面には、ネジが螺合するように、前後方向に延びるネジ溝を形成してある。押圧材３は、前側と中央の壁部６１の間と、後側と中央の壁部６１の間に、それぞれ二本ずつ設けてあり、下側面３２が、熱線２に上側から当接している。
【００１２】
さらに、押圧材３の両端部に、端部キャップ４を取り付けてある。端部キャップ４は、樹脂又はアルミダイカストからなるものであり、図２に示すように、略直方体形で中空の箱形部４１を有し、上側の面と、押圧材３側の面が開口しており、箱形部４１内側の上部の左右両側に、前後方向に延びる上側係合片４２を設けてあり、箱形部４１内側の下部の左右両側に、箱形部４１の底面４６と隙間を有しかつ前後方向に延びる下側係合片４３を設けてある。そして、上側係合片４２は、箱形部４１から押圧材３側に突出していて、突出部分の上側に、左右の上側係合片４２と隙間を有しかつ左右の上側係合片４２に跨る上端面４４を設けてあり、上端面４４の左右方向中央に、ネジ孔４５を設けてある。なお、箱形部４１の高さは、フレーム１の平板部５と鍔部６２の間の間隔と略同じであり、また、箱形部４１の前後方向幅は、鍔部６２の前後方向幅と略同じであり、さらに、箱形部４１の底面４６の厚さは、熱線２の厚さよりも薄くなっている。
【００１３】
このように形成した端部キャップ４を、押圧材３の端部に取り付ける際には、図２及び図３に示すように、押圧材３の上側面３１を、端部キャップ４の上端面４４と上側係合片４２の間の隙間に挿入し、押圧材３の下側面３２を、端部キャップ４の箱形部４１の底面４６と下側係合片４３の間の隙間に挿入する。すると、端部キャップ４の上端面４４のネジ孔４５が、押圧材３の上側面３１の係合溝３４に重なるので、ネジ孔４５にネジを挿入し、係合溝３４に螺合して、端部キャップ４を押圧材３に固定する。この際、端部キャップ４は、箱形部４１の前後方向幅の分だけ、押圧材３に対して前後方向位置を調整して固定でき、すなわち、端部キャップ４を含めた押圧材３の長さを調節できる。
【００１４】
続いて、端部キャップ４を取り付けた押圧材３をフレーム１に固定する方法について説明する。まず、端部キャップ４を押圧材３に対して押し込み、端部キャップ４を含めた押圧材３の長さが最も短くなる状態とする。そして、図４（ａ）に示すように、押圧材３を前後方向に対して傾斜させ、鍔部６２を回避するようにして、平板部５の裏面の熱線２の上に載置する。次に、押圧材３が前後方向を向くように回転させ、図４（ｂ）に示すように、端部キャップ４の箱形部４１を、鍔部６２の下側に潜り込ませる。そして、前側の端部キャップ４を前側に、後側の端部キャップ４を後側に摺動させて、端部キャップ４を含めた押圧材３の長さを伸ばし、図４（ｃ）に示すように、前後の端部キャップ４をそれぞれ壁部６１に当接させる。すると、箱形部４１の全体が鍔部６２の下側に納まり、上端面４４のみが上側から見える状態となり、この状態で、端部キャップ４のネジ孔４５に挿入したネジを締めて、押圧材３に対して端部キャップ４を固定することで、押圧材３の両端の端部キャップ４が、平板部５と鍔部６２の間に嵌まり、前後に対向する壁部６１に突っ張って、フレーム１に対して押圧材３が固定される。そして、箱形部４１の底面４６の厚さが熱線２の厚さよりも薄くなっているので、このように押圧材３を固定すると、押圧材３の下側面３２と平板部５の間に生じる隙間が、熱線２の厚さより小さくなる。これにより、押圧材３が、熱線２を平板部５に押し付けて固定する。
【００１５】
このように、表面に太陽電池パネル７を設け、裏面に熱線２を設けたフレーム１からなる太陽電池装置は、地上や屋根上に設置して用いる。たとえば、地上に設置する場合には、図６に示すような架台８を用いる。架台８は、傾斜した枠体８１と、枠体８１を支持する脚部８２からなり、枠体８１の上に、複数のフレーム１を並べて固定してある。
【００１６】
本発明の太陽電池装置によれば、フレーム１の平板部５の裏面に配置した熱線２を、交差する押圧材３により固定するものであり、複数本の熱線２を一度に押さえることが可能であるから、部品点数が少なくて済む（上記の実施形態では、五本の熱線２を二本の押圧材３で押さえている）。また、端部キャップ４を壁部６１に突っ張らせる構造なので、フレーム１にネジ孔などの後加工を施す必要がなく、施工性がよい。そして、押圧材３の着脱も容易であるから、熱線２の交換なども行いやすく、メンテナンス性もよい。
【００１７】
本発明は、上記の実施形態に限定されない。たとえば、押圧材は、熱線を押さえることができるものであれば、どのような形状であってもよいし、端部キャップの形状も、押圧材の形状に合わせて、適宜変更できる。また、熱線や押圧材の数は、フレームの大きさなどに応じて適宜増減できる。さらに、壁部は、対向するように少なくとも一組設けてあれば、どのように配置してあってもよい。
【符号の説明】
【００１８】
１  フレーム
２  熱線
３  押圧材
４  端部キャップ
５  平板部
６  枠部
７  太陽電池パネル
６１  壁部
６２  鍔部
【図１】
2016067095.tif 000003
【図２】
2016067095.tif 000004
【図３】
2016067095.tif 000005
【図４】
2016067095.tif 000006
【図５】
2016067095.tif 000007
【図６】
2016067095.tif 000008
【図７】
2016067095.tif 000009